(57)【特許請求の範囲】
【請求項１】
被写体の画像を入力する画像入力手段と、この画像入力手段による入力画像に対して画像処理を施す画像処理手段と、この画像処理手段による画像処理が施された画像を出力する画像出力手段とを有する画像処理システムであって、
前記画像の被写体人物に関する付属情報を取得する付属情報取得手段と、
前記入力画像から前記被写体人物に関する被写体情報を取得する被写体情報取得手段と、
前記付属情報に含まれる顔画像と前記被写体情報に含まれる顔画像との整合性に基づいて、前記付属情報に対応する被写体人物を同定して、前記被写体情報の顔画像に対応する前記付属情報を特定する人物同定手段と、
前記人物同定手段による同定結果に基づいて、特定された前記付属情報を、対応する撮影画像中の被写体人物位置に関連付けて画像合成を行う画像合成手段とを備えたことを特徴とする画像処理システム。
【請求項２】
前記付属情報は、撮影時に、被写体人物の所持する携帯情報機器と前記被写体を撮影するカメラとの間で交信を行い、または各被写体人物毎の付属情報を一括管理する機器と前記カメラとの間で交信を行って、このカメラが所定の記録媒体に記録したものを読み取って取得するか、あるいは直接前記付属情報を一括管理する機器から取得するようにした請求項１に記載の画像処理システム。
【請求項３】
前記画像処理手段、前記画像出力手段、前記付属情報取得手段、前記被写体情報取得手段、前記人物同定手段および前記画像合成手段を全てカメラに搭載し、このカメラで画像処理システムを構成し、このカメラにおいて、撮影した画像に対し、この撮影画像中の被写体人物に関する付属情報を合成するようにした請求項１または２に記載の画像処理システム。
【請求項４】
前記被写体人物に関する付属情報は、撮影時に被写体人物の所持する携帯情報機器とカメラとの間で交信を行い、または各被写体人物毎の付属情報を一括管理する機器とカメラとの間で交信を行って取得される請求項３に記載の画像処理システム。
【請求項５】
前記カメラは、さらに音声取得手段を有し、撮影時に前記被写体人物の音声を取得して、前記人物同定手段によって前記人物同定を行う際、この音声をも用いるようにした請求項１〜４のいずれかに記載の画像処理システム。
【請求項６】
前記人物同定手段は、前記被写体情報の顔画像と前記付属情報中の顔画像とのパターンマッチングによって、前記被写体人物の同定を行う請求項１〜５のいずれかに記載の画像処理システム。
【請求項７】
前記画像出力手段は、前記付属情報の合成された画像を、プリントとして出力する方法、画像ファイルに記録する方法、画像表示装置に表示する方法および通信によって転送する方法の少なくとも一つの方法で出力する請求項１〜６のいずれかに記載の画像処理システム。
【請求項８】
前記付属情報は、少なくとも前記顔画像およびメッセージ情報を含み、また、前記被写体情報は、前記被写体人物の前記顔画像および位置情報を含むものであり、
前記画像合成手段は、前記被写体情報の前記位置情報を基に、前記対応する撮影画像中の前記被写体人物位置に適合させて、前記特定された付属情報に含まれる前記被写体人物のメッセージ情報を合成する請求項１〜７のいずれかに記載の画像処理システム。
【発明の詳細な説明】
【０００１】
【発明の属する技術分野】
本発明は、画像処理システムおよび注文システムに係り、特に、撮影画像に対し、被写体に関する付加情報を合成して出力する画像処理システム、および顧客がテレビやパソコン、ゲームあるいは映画等を見ながら、あるいは予め予約した画面から、商品の注文をしたり、そのシーンのプリントやそのシーンの画像データが記録された記録媒体（本発明では、画像データの記録媒体を単に記録媒体または画像記録媒体という）を注文する注文システムに関する。
【０００２】
【従来の技術】
従来より、ネガフィルムや、リバーサルフィルム等の写真フィルム（以下、フィルムとする）に撮影された画像の感光材料（印画紙）への焼き付けは、フィルムの画像を感光材料に投影して感光材料を面露光する、いわゆる直接露光（アナログ露光）によって行われていた。
【０００３】
これに対して、近年では、デジタル露光を利用する焼付装置、すなわち従来型カメラによって撮影され、写真フィルムに記録された撮影コマの画像を光電的に読み取り、読み取った画像をデジタル画像データとして得た後、あるいはデジタルカメラによって撮影された撮影コマの画像のデジタル画像データを得た後、種々の画像処理を施して記録用画像データとし、この画像データに応じて変調した記録光によって感光材料を走査露光して画像（潜像）を記録し、（仕上がり）写真プリントとする画像処理システムとして、デジタルフォトプリンタが実用化されている。
【０００４】
デジタルフォトプリンタでは、画像をデジタル画像データとして、画像データ処理によって焼付時の露光条件を決定することができるので、逆光やストロボ撮影等に起因する画像の飛びやツブレの補正、シャープネス（鮮鋭化）処理、カラーフェリアや濃度フェリアの補正、アンダー露光やオーバー露光の補正、周辺光量不足の補正等を好適に行って、従来の直接露光では得られなかった高品位な写真プリントを得ることができる。しかも、複数画像の合成や画像分割、さらには文字の合成等も画像データ処理によって行うことができ、例えば撮影日時や撮影状況あるいは被写体に関連する付加情報等を合成するなど、用途に応じて自由に編集／処理した写真プリントも出力可能である。
しかも、デジタルフォトプリンタによれば、画像を写真プリントとして出力するのみならず、画像データをコンピュータ等に供給したり、フレキシブルディスク等の画像記録媒体に保存しておくこともできるので、画像データを、写真以外の様々な用途に利用することができる。
【０００５】
しかしながら、前述したような撮影画像への付加情報の合成は、従来は、オペレータによるマニュアル編集に頼らざるを得ず、被写体に関する情報を撮影画像に自動的に合成するサービスは存在しなかった。そのため、撮影画像に被写体に関する付加情報やメッセージ等を合成するのが面倒であり、特に一枚の画像に複数の被写体人物がいる場合に、各被写体人物それぞれに対し、メッセージ等を付加する場合には、どのメッセージを誰に付加するのかが分かり難く、合成作業が非常に煩雑であるという問題があった。
【０００６】
一方、従来より、例えば放送されているテレビ番組やビデオテープに録画した画像を再生しているテレビ画面の１シーンをプリントしようとした場合には、家庭用のビデオプリンタが用いられていた。しかし、このような家庭用ビデオプリンタでは、解像度が低く、またテレビ放送による画像データは伝送中のノイズの影響やビデオプリンタにおける様々な処理によって画像品質が劣化するため、高品質なプリントが期待できなかった。さらに、家庭用ビデオプリンタでは、プリントサイズも固定的であり、大きさはハガキサイズ程度が限度であった。
【０００７】
これに対し、本出願人は、すでに特開平１０−１７１０２７号公報において、テレビ放送シーン等を大サイズで高品質にプリントすることができるようにした画像プリント方法およびシステムを提案している。
これは、テレビ放送の各画像コマに対応させて各画像コマを識別するためのコマ識別情報を利用するものであり、顧客がテレビ画面の各シーンを見ていてプリントをしようと思った画像があったら、その画像コマのコマ識別情報をパソコンで読み出し、このコマ識別情報と予め登録されている発注者識別情報とをパソコン等のデータ通信手段を通じてプリント受注者に転送してプリントの注文を行うものである。プリント受注者は、送られてきたコマ識別情報に基づき、プリント対象のコマを特定し、画像データベースから該当する高解像度のオリジナル画像データを読み出し、プリントを行う。
【０００８】
また、一般の商品の注文方法として、テレビ放送による商品情報を見て、購入したい商品があった場合に、例えば電話等で注文する、いわゆるテレビショッピングがある。
【０００９】
しかしながら、上述した公報に開示されたものは、コマ識別情報と発注者識別情報のみをパソコンで送信することによりプリント注文できるため、簡単に注文でき、また、オリジナル画像データを用いてプリントするので、大サイズかつ高品質のプリントを得ることができるが、全ての画像がデータベースに保存されているとは限らないので、注文してもプリントできない場合もあるという問題がある。また、前記従来のテレビショッピングでは、テレビを見た後に電話等の手段を用いて別途注文しなければならず手間がかかるという問題がある。
【００１０】
【発明が解決しようとする課題】
また、本発明は、前記従来の問題に鑑みてなされたものであり、被写体人物が複数存在するような場合でも、被写体人物に関する情報を自動的に撮影画像に合成することで、撮影画像（被写体）の付加情報が合成された画像を簡単に得ることができるようにし、被写体人物の情報取得や写真の整理を便利なものとすることのできる画像処理システムを提供することを第１の課題とする。
【００１１】
本発明は、前記従来の問題に鑑みてなされたものであり、テレビ等を見ながら任意または所望のタイミングで、あるいは予約しておき、簡単に、テレビ画面等のシーンの画像をプリント注文し、また、その関連商品あるいは一般の商品の注文をすることができる注文システムを提供することを第２の課題とする。
【００１２】
【課題を解決するための手段】
上記の第１の課題を解決するために、本発明の第１の態様は、被写体の画像を入力する画像入力手段と、入力された画像に対して画像処理を施す画像処理手段と、この画像処理の施された画像を出力する画像出力手段とを有する画像処理システムであって、前記画像の被写体人物に関する付属情報を取得する付属情報取得手段と、前記入力画像から被写体人物に関する情報を取得する被写体情報取得手段と、前記付属情報に含まれる顔画像と前記被写体情報に含まれる顔画像との整合性に基づいて、前記付属情報に対応する被写体人物を同定して、前記被写体情報の顔画像に対応する前記付属情報を特定する人物同定手段と、前記同定結果に基づいて、特定された前記付属情報を、対応する撮影画像中の被写体人物位置に関連付けて画像合成を行う画像合成手段と、を備えたことを特徴とする画像処理システムを提供するものである。
【００１３】
ここで、前記被写体人物に関する付属情報は、撮影時に、被写体人物の所持する携帯情報機器と前記被写体を撮影するカメラとの間で交信を行い、または各被写体人物毎の付属情報を一括管理する機器と前記カメラとの間で交信を行ってこのカメラが所定の記録媒体に記録したものを読み取って取得するか、あるいは直接前記付属情報を一括管理する機器から取得するようにしたことが好ましい。
また、前記画像処理手段、前記画像出力手段、前記付属情報取得手段、前記被写体情報取得手段、前記人物同定手段および前記画像合成手段をすべてカメラに搭載し、このカメラで画像処理システムを構成し、このカメラにおいて、撮影した画像に対し、この撮影画像中の被写体人物に関する付属情報を合成するようにしたことが好ましい。
【００１４】
また、前記被写体人物に関する付属情報は、撮影時に被写体人物の所持する携帯情報機器とカメラとの間で交信を行い、または各被写体人物毎の付属情報を一括管理する機器とカメラとの間で交信を行って取得されることが好ましい。
また、前記カメラは、さらに、音声取得手段を有し、撮影時に前記被写体人物の音声を取得して、前記人物同定手段によって前記人物同定を行う際、この音声をも用いるようにしたことが好ましい。
【００１５】
また、前記人物同定手段は、前記被写体情報の顔画像と前記付属情報中の顔画像とのパターンマッチングによって、前記被写体人物の同定を行うことが好ましい。
また、前記画像出力手段は、前記付属情報の合成された画像を、プリントとして出力、画像ファイルに記録、画像表示装置に表示、通信による転送、の少なくとも一つの方法で出力することが好ましい。
【００１６】
さらに、前記付属情報は、少なくとも前記顔画像およびメッセージ情報を含み、また、前記被写体情報は、前記被写体人物の前記顔画像および位置情報を含むものであり、前記画像合成手段は、前記被写体情報の前記位置情報を基に、前記対応する撮影画像中の前記被写体人物位置に適合させて、前記特定された付属情報に含まれる前記被写体人物のメッセージ情報を合成するようにしたことが好ましい。
【００３０】
【発明の実施の形態】
本発明に係る画像処理システムおよび注文システムを添付の図面に示す好適実施形態に基づいて以下に詳細に説明する。
まず、図１〜図４を参照して、本発明に係る画像処理システムについて説明する。
【００３１】
図１は、本発明の第１実施形態に係る画像処理システムを構成するデジタルフォトプリンタの概略を示すブロック図である。
図１に示されるデジタルフォトプリンタ１０は、基本的に、フィルムＦに撮影された画像を光電的に読み取るスキャナ（画像入力手段）１２と、読み取られた画像データを処理して出力用の画像データとし、また、デジタルフォトプリンタ１０全体の操作および制御等を行う画像処理装置１４と、画像処理装置１４から出力された画像データに応じて変調した光ビームで感光材料（印画紙）を画像露光し、現像処理して（仕上がり）プリントとして出力するプリンタ（画像出力手段）１６とを有する。
また、画像処理装置１４には、様々な条件の入力や設定、処理の選択や指示、色／濃度補正等の指示等を入力するためのキーボード１８ａおよびマウス１８ｂを有する操作系１８と、スキャナ１２で読み取られた画像、各種の操作指示、条件の設定／登録画面等を表示するディスプレイ２０が接続される。
【００３２】
スキャナ１２は、フィルムＦ等に撮影された画像を光電的に読み取る装置で、光源２２と、可変絞り２４と、フィルムＦに入射する読取光をフィルムＦの面方向で均一にする拡散ボックス２８と、結像レンズユニット３２と、Ｒ（赤）、Ｇ（緑）、Ｂ（青）の各画像読取に対応するラインＣＣＤセンサを有するイメージセンサ３４と、アンプ（増幅器）３６と、Ａ／Ｄ（アナログ／デジタル）変換器３８とを有している。
【００３３】
また、プリントシステム１０においては、新写真システム(Advanced Photo System、以下単にＡＰＳとする。）や１３５サイズのネガ（あるいはリバーサル）フィルム等のフィルムの種類やサイズ、ストリップスやスライド等のフィルムの形態等に応じて、スキャナ１２の本体に装着自在な専用のキャリア３０が用意されており、キャリア３０を交換することにより、各種のフィルムや処理に対応することができる。フィルムＦに撮影され、プリント作成に供される画像（コマ）は、このキャリア３０によって所定の読取位置に搬送される。
このようなスキャナ１２において、フィルムＦに撮影された画像を読み取る際には、光源２２から射出され、可変絞り２４によって光量調整された読取光が、キャリア３０によって所定の読取位置に位置されたフィルムＦに入射して、透過することにより、フィルムＦに撮影された画像を担持する投影光を得る。
【００３４】
キャリア３０は、フィルムＦを所定の読取位置に搬送する搬送ローラ対と、フィルムＦの投影光をラインＣＣＤセンサと同方向（主走査方向）の所定のスリット状に規制するスリットを有するマスクとを有している。フィルムＦは、このキャリア３０によって読取位置に位置されて、主走査方向と直交する副走査方向にフィルムＦの長手方向を一致して搬送されつつ、読取光を入射される。これにより、結果的にフィルムＦが主走査方向に延在するスリットによって２次元的にスリット走査され、フィルムＦに撮影された各コマの画像が読み取られる。
【００３５】
ＡＰＳのフィルムには、磁気記録媒体が形成されており、ＡＰＳのフィルム（カートリッジ）に対応するキャリア３０には、この磁気記録媒体に情報の記録／読取を行う磁気ヘッドが配置されている。フィルムＦの磁気記録媒体に記録された情報は、この磁気ヘッドで読み取られて画像処理装置１４等に送られ、また、画像処理装置１４等からの情報がキャリア３０に転送され、磁気ヘッドによってフィルムＦの磁気記録媒体に記録される。
また、キャリア３０には、フィルムＦに光学的に記録されるＤＸコード、拡張ＤＸコード、ＦＮＳコード等のバーコードやフィルムＦに光学的に記録された各種の情報を読み取るためのコードリーダが配置されており、このコードリーダで読み取られた各種の情報が画像処理装置１４に送られる。
【００３６】
前述のように、読取光はキャリア３０に保持されたフィルムＦを透過して画像を担持する投影光となり、この投影光は、結像レンズユニット３２によってイメージセンサ３４の受光面に結像される。
イメージセンサ３４は、それぞれＲ画像、Ｇ画像およびＢ画像を読み取る３つのラインＣＣＤセンサを有するいわゆる３ラインのカラーＣＣＤセンサで、主走査方向に延在する。フィルムＦの投影光は、イメージセンサ３４によって、Ｒ、Ｇ、Ｂの３原色に分解されて光電的に読み取られる。
イメージセンサ３４の出力信号は、アンプ３６で増幅され、Ａ／Ｄ変換器３８でデジタル信号とされて、画像処理装置１４に送られる。
【００３７】
スキャナ１２においては、フィルムＦに撮影された画像の読み取りを、低解像度で読み取るプレスキャンと、出力画像の画像データを得るためのファインスキャンとの２回の画像読取で行う。
プレスキャンは、スキャナ１２が対象とする全てのフィルムの画像を、入力画像としてイメージセンサ３４が飽和することなく読み取れるように設定されたプレスキャンの読取条件で行われる。一方、ファインスキャンは、プレスキャンデータから、その画像（コマ）の最低濃度よりも若干低い濃度でイメージセンサ３４が飽和するように、各コマ毎に設定されたファインスキャンの読取条件で行われる。従って、プレスキャンとファインスキャンの出力信号は、解像度と出力レベルが異なるのみである。
【００３８】
なお、本発明において、スキャナ１２は、このようなスリット走査によるものに限定はされず、１コマの画像の全面を一度に読み取る、面露光を利用するものであってもよい。この場合には、例えばエリアＣＣＤセンサを用い、光源とフィルムＦとの間に、Ｒ、ＧおよびＢの各色フィルタを順次挿入してエリアＣＣＤセンサで画像を読み取ることにより、フィルムに撮影された画像を３原色に分解して順次読み取ればよい。
【００３９】
前述のように、スキャナ１２からの出力信号（画像データ）は、画像処理装置１４に出力される。
また、画像処理装置１４には、デジタルカメラ等で撮影して得られたデジタル画像データを記録するスマートメディア等の画像データの記録媒体から画像データや被写体人物の付属情報等を読み出し、あるいはＦＤ、ＣＤ−Ｒ、ＭＯ、ＤＶＤやＺｉｐ等の汎用の画像データの記録媒体に処理後の画像データを出力するためのドライブ装置４２が接続されている。
【００４０】
さらに、本実施形態の画像処理装置１４には、パソコンやデジタルカメラ等の種々の画像データ供給源や、各被写体人物の付属情報を一括して管理する機器等と、直接ケーブルを介して接続し、あるいは、通信ネットワークを介して接続して、デジタル画像データやその撮影情報、被写体の付属情報等を取得するためのスロット４４等も接続されている。従って、デジタルフォトプリンタ１０においては、画像処理装置１４は、スキャナ１２によって読み取られたフィルムＦの画像以外にも、これら各種の画像データ供給源から画像データや情報を受け取り、以下に示すような処理をしてもよい。
以下説明する第１実施形態では、主としてスキャナ１２から画像処理装置１４にデジタル画像データが供給され、プリンタ１６より写真プリントとして出力される場合を代表例として説明することとする。
【００４１】
図２に、本発明の第１実施形態に係る画像処理装置１４の概略構成を示すブロック図を示す。
画像処理装置１４は、スキャナ１２で読み取られ、デジタルデータとして画像処理装置１４に送られてきた画像データに所定の画像処理を施し、プリンタ１６等に出力するものであり、主にデータ処理部４６、プレスキャンメモリ４８、ファインスキャンメモリ５０、プレスキャン画像処理部５２、ファインスキャン画像処理部５４、条件設定部５６から構成される。また、本実施形態においては、画像処理装置１４は、この他に入力画像から被写体人物に関する情報を取得する被写体情報取得手段６８、撮影時にカメラによって取得され、または情報を一括管理する機器から取得された、被写体人物の付属情報と前記被写体人物の情報との整合性に基づいて被写体人物を同定する人物同定手段７０、およびファインスキャン画像処理部５４の中に配置され、前記付属情報を、対応する撮影画像中の被写体人物に関連付けて画像合成する合成手段６４とを有している。
【００４２】
データ処理部４６では、スキャナ１２から出力されたＲ、Ｇ、Ｂのデジタル画像データ（入力画像データ信号）に、Ｌｏｇ変換、ＤＣオフセット補正、暗時補正、シェーディング補正等を行い、処理済のプレスキャン（画像）データはプレスキャンメモリ４８に、同じくファインスキャン（画像）データはファインスキャンメモリ５０に、それぞれ記憶（格納）される。
プレスキャンメモリ４８およびファインスキャンメモリ５０に格納された各画像データは、必要に応じて、画像処理を施し出力するために、それぞれプレスキャン画像処理部５２およびファインスキャン画像処理部５４に呼び出される。
【００４３】
プレスキャン画像処理部５２は、プレスキャン処理部５８とデータ変換部６０とからなり、プレスキャン処理部５８は、色バランス調整、コントラスト調整、コントラスト補正、明るさ補正、さらにシャープネス処理や覆い焼き処理等その他の画像処理を実施する部分である。また、データ変換部６０は、プレスキャン処理部５８で画像処理の施された画像データを、３ＤＬＵＴ等を用いて、ディスプレイ２０による表示に対応する画像データに変換する。
【００４４】
ファインスキャン画像処理部５４は、ファインスキャン処理部６２、画像合成手段６４、データ変換部６６ａ、６６ｂ、６６ｃから構成される。ファインスキャン処理部６２では、ファインスキャンデータに対して、以下述べるように条件設定部５６で設定された画像処理条件に従って各種の画像処理、例えば、色バランス調整、コントラスト補正（階調処理）、明るさ補正、彩度補正、シャープネス処理や覆い焼き処理等の処理が行われる。画像合成手段６４においては、撮影画像中の被写体人物に対して、その人物に対応する付属情報が、その被写体位置に関連付けて合成される。データ変換部６６ａ、６６ｂ、６６ｃは、画像処理後の画像データを、それぞれプリンタ１６、ドライブ装置４２、スロット４４という各画像出力手段に応じた形式に変換するものである。
【００４５】
条件設定部５６は、プレスキャンメモリ４８からプレスキャンデータを読み出し、ファインスキャンの読み取り条件や画像処理条件を決定し、プレスキャン処理部５８やファインスキャン処理部６２等、各必要な部位に設定する。条件設定部５６は、具体的には、プレスキャンデータから濃度ヒストグラムの作成、平均濃度、ＬＡＴＤ（大面積透過濃度）、ハイライト（最低濃度）、シャドー（最高濃度）等の画像特徴量の算出等を行い、加えて、必要に応じて行われるオペレータによる指示に応じて画像処理条件が決定され、さらに、キーボード１８ａやマウス１８ｂ等の操作系１８からの入力により画像処理条件が再設定される。
【００４６】
また、前述したように、本実施形態における画像処理装置１４は、被写体情報取得手段６８と人物同定手段７０を有しており、被写体人物の付属情報を画像中の所定位置に合成するために画像中の被写体人物の同定を行う。
被写体情報取得手段６８は、プレスキャンデータを受け取り、これから人物同定に用いるための情報および画像合成に用いるための画像中の被写体の位置情報などの被写体情報を取得する。例えば、被写体人物の同定に用いられる情報として、被写体人物の顔画像が好適に例示され、この場合被写体情報取得手段６８はプレスキャンデータから画像中の被写体人物の顔画像を抽出する。
このとき被写体人物の付属情報は顔画像データを含んでおり、人物同定手段７０は、この抽出された顔画像と付属情報中の顔画像とをパターンマッチングして人物同定を行う。
【００４７】
人物同定により、各付属情報を画像中のどの被写体に合成すればよいかがわかる。そこで、画像合成手段６４において、上で取得された画像中の被写体の位置情報を基に、各被写体人物の位置に適合させて、各被写体人物のメッセージ等を含む付属情報を合成する。
付属情報の合成された画像は、出力媒体に応じて、各データ変換部６６ａ、６６ｂ、６６ｃにおいて変換されて、顧客の希望する出力媒体に出力される。
【００４８】
以下、第１実施形態の作用について説明する。
本実施形態は、多数の被写体人物をカメラで撮影する際に、例えば、各被写体人物がそれぞれ所持する携帯情報端末（ＰＤＡ）とカメラとの間で交信を行い、各被写体人物の付属情報を取得して、これをカメラで所定の記録媒体に記録し、ラボに対してプリント注文をすると、ラボにおいて、この付属情報を対応する被写体人物の画像に合成してプリントを作成するものである。
【００４９】
図３は、本発明の第１実施形態の作用を示す概念図である。
例えば、何かのパーティ会場等で、多数の被写体人物１００をカメラ１１０で撮影する場合に、出席者である各被写体人物１００は、それぞれ携帯情報端末（以下、ＰＤＡという）１０２を持っており、各自のＰＤＡ１０２には、予め各自の顔画像入りのメッセージ情報（付属情報）が記録されているものとする。
このメッセージ情報は、例えばテキストに限らず、画像データや音声データでもよい。
【００５０】
撮影者は、カメラ１１０で各被写体人物１００を撮影する際、カメラ１１０側に設けられた通信端末１１２と被写体各自のＰＤＡ１０２との間で、交信を行って、各被写体人物１００のメッセージ情報（付属情報）を取得する。カメラ１１０は、銀塩方式のカメラでもデジタルカメラ（静止画／動画）でもよい。
カメラ１１０は、この取得したメッセージ情報を所定の記録媒体に記録する。ここで記録媒体や記録方法は特に限定されるものではない。フィルムに磁気的に記録してもよいし、フィルムカートリッジにＩＣチップを装着してこのＩＣチップに記録してもよいし、あるいはデジタルカメラの場合に、スマートメディア等の記録媒体に画像データとともに書き込んでもよい。
また、フィルムとは別の記録媒体にメッセージ情報を記録する場合には、後で画像合成に用いるように、フィルムＩＤ、コマ番号等を合わせて記録するようにするのが好ましい。
【００５１】
また、パーティの参加者に、例えば、各自のＰＤＡとリンクしてカメラとの情報交信時に発光するような機能を持つ特殊な名札を予め着けてもらっておき、カメラで撮影をするようにしてもよい。このようにすると、撮影時に、カメラと各被写体人物との交信時に、その交信タイミングで現在撮影中の被写体人物の名札が発光するため、後で撮影画面内の人物毎の位置を割り出すのが容易となる。
【００５２】
また、パーティ参加者各自がＰＤＡを所持するのではなく、例えばパーティ主催者側が、ホストコンピュータ１２０で、一括して各自のメッセージ情報を管理し、この主催者側のホストコンピュータ１２０とカメラ１１０との間で交信を行いカメラ１１０が各自のメッセージ情報を取得するようにしてもよい。
なお、このカメラ１１０とホストコンピュータ１２０との交信は、撮影時にその都度行ってもよいし、撮影後等の所定のタイミングでまとめて行うようにしてもよい。このようにすると、各被写体１００はＰＤＡ１０２を所持する必要はなく、カメラ１１０と各被写体１００のＰＤＡ１０２との交信を行う必要もないため、撮影者も各自のＰＤＡ１０２との交信を意識しながら撮影を行うという煩雑さがなくて済む。あるいはさらに、カメラ１１０でメッセージ情報を取得することはせずに、後で、ラボ１３０において画像処理時にラボ１３０が直接前記ホストコンピュータ１２０からメッセージ情報を取得するようにしてもよい。
【００５３】
また、カメラ１１０が音声データ取得機能を有している場合には、被写体人物が発生する音声データをメッセージ情報として取得するようにしてもよい。この場合、この音声データにより、性別や年齢等を判定し、人物同定に利用するようにしてもよい。
あるいは、デジタルカメラによる動画撮影の場合に、各被写体人物が喋るタイミングと口の動くタイミングより画像内位置を導出し、その音声から性別や年齢等を推定し、これに客層判別処理とを組み合わせることにより人物同定を行うようにしてもよい。また、メッセージ情報として音声が含まれている場合、その登録音声と撮影時音声により話者認識を行い、人物の同定を行っても良い。
【００５４】
以上のようにして撮影が行われ、カメラによって画像データとともに各被写体人物のメッセージ情報が取得され、これらがラボ１３０に持ち込まれ、プリントの注文が行われると、ラボ１３０においては、前記図１に示したデジタルフォトプリンタ１０によって画像処理が行われ、プリントが作成される。
【００５５】
注文を受けたオペレータは、フィルムＦを所定のキャリア３０に装填して、スキャナ１２の所定の読み取り位置にセットする。スキャナ１２で、プレスキャンされ読み取られたプレスキャン画像データは、デジタル入力画像データとして、データ処理部４６で、前述したように、Ｌｏｇ変換、ＤＣオフセット補正、暗時補正、シェーディング補正等の各処理が施された後、プレスキャンメモリ４８に記憶される。また、条件設定部５６は、プレスキャンメモリ４８からプレスキャンデータを呼び出し、画像特徴量等の算出を行い、画像処理条件を決定する。また、オペレータの指示により調整された後、定まった画像処理条件により、プレスキャンデータは、プレスキャン画像処理部５２のプレスキャン処理部５８で色バランス調整、色濃度補正や明るさ補正およびコントラスト補正や彩度補正等の補正が行われ、またオペレータの指示により、シャープネス処理や覆い焼き処理が行われた後、データ変換部６０において３ＤＬＵＴ等を用いて変換され、ディスプレイ２０に表示される。
【００５６】
なお、デジタルカメラ等で撮影されたデジタル画像の場合、フレキシブルディスク（ＦＤ）やＭＯやＺｉｐやＣＤ−ＲやＤＶＤ等の画像データの記録媒体からディスクドライブを介して画像データを得、また、通信ネットワークから画像データを得ることができ、その場合、プレスキャンメモリ４８およびファインスキャンメモリ５０に画像データが記憶され、以後の画像処理はスキャナ１２で読み取られた画像データと同様の処理が行われる。
【００５７】
また、プレスキャンデータに対する処理を行うと同時に、例えば、スキャナ１２において、フィルムの磁気記録媒体あるいはフィルムカートリッジに装着されたＩＣチップ等よりメッセージ情報が読み取られ、被写体人物の顔画像データを含むメッセージ情報は人物同定手段７０に送られる。一方、被写体情報取得手段６８は、条件設定部５６を介して（あるいはプレスキャンメモリ４８から直接）プレスキャンデータを受け取り、プレスキャンデータから、後で人物同定や画像合成に必要な被写体情報を抽出する。
【００５８】
被写体情報取得手段６８は、画像中の被写体人物の顔画像を抽出する。
人物の顔領域、とりわけ頭髪の抽出方法として、例えば本出願人による特開平８−１２２９４４号公報に開示された方法がある。また、その他、人物の顔領域等の特定領域を抽出する方法としては、上記以外にも、特開平４−３４６３３３号、同５−１５８１６４号、同５−１６５１２０号、同６−１６０９９３号、同８−１８４９２５号、同９−１０１５７９号、同９−１３８４７０号、同９−１３８４７１号、同９−１４６１９４号、同９−１９７５７５号等の各公報に開示された方法も好適に利用可能である。
【００５９】
次に、人物同定手段７０において、被写体情報取得手段６８により抽出された被写体人物の顔画像と、メッセージ情報に含まれる顔画像とをパターンマッチングして被写体人物の同定を行い、どのメッセージ情報をどの画像に合成するかを確認する。このとき、メッセージ情報中に性別、年齢等の情報が有ればこれを利用して、また、たとえこれらの情報がなくとも以下のような客層判別手法により性別、年齢、職業等を推定することによりこれらの情報を利用して人物同定を行うようにすることでより正確に人物同定を行うことができる。
【００６０】
性別、年齢、職業等を推定する客層判別手法としては、例えば、性別の推定方法としては、顔画像（頭髪）の抽出結果により、頭髪領域のボリュームが大きい場合、あるいは頭髪領域が細長く、長髪である場合、また、胴体以下の輪郭形状のパターンマッチングから抽出された衣服の形状からスカートであると思われる場合、または色が赤やピンク系統が多い場合には、女性であると推定することができる。また、顔画像の抽出結果から、化粧の有無、口紅の使用の有無やアクセサリーの着用の有無等によっても推定が可能である。
また、年齢の推定方法としては、撮影画像から被写体人物の身長を算出し、身長の大きさにより、大人、中高生、小学生、幼児等と推定を行う方法が考えられる。あるいは、抽出された頭髪領域のボリュームが少ない場合や、頭髪の色が白の場合には、高齢者であると推定される。
また、主に衣服によって職種の推定が行われる。例えば、衣服の形状、濃度、色味からスーツ系の度合いが高い場合には、サラリーマン層と推定でき、衣服の形状や色から制服系と思われる場合には、性別や年齢の推定結果と合わせて中高生を含めた学生であると推定できる。
なお、客層判別手法としては、これに限定されるものではなく、この他に様々な方法を用いることが可能である。
【００６１】
一方、条件設定部５６によって、決定された条件に従って、ファインスキャンが行われ、読み取られたファインスキャンデータに対し、ファインスキャン処理部６２において所定の画像処理が行われる。
その後、画像合成手段６４において、上の人物同定結果を用いて、被写体情報取得手段６８で抽出された画像中での被写体人物の位置に適合させて、各被写体人物に対応するメッセージ情報が合成される。
このとき、各メッセージ情報は、画像撮影時にカメラと各被写体人物のＰＤＡとの間で交信を行う際、連続する撮影コマ毎に異なるメッセージ情報を付与することも可能である。このときは、どのメッセージ情報がどのコマに対応するかを示すフィルムＩＤおよびコマ番号等の識別情報をメッセージ情報に含ませておけばよい。この場合には、画像合成手段６４は、このコマ番号等の識別情報を用いて画像合成をすることができる。この場合、人物同定は必要なくなるが、画像合成のために顔画像の抽出等を行い、画像中の被写体人物の位置を抽出する必要はある。
【００６２】
画像合成処理された画像データは、顧客の希望に応じて、データ変換部６６ａによりプリント出力用のデータに変換してプリンタ１６よりプリントとして出力され、または、データ変換部６６ｂにより画像ファイル出力用のデータに変換してドライブ装置４２より所定の記録媒体に出力され、または、データ変換部６６ｃにより所定の形式に変換されスロット４４より通信ネットワークを通じて公開したり、所定の端末機器に送信するようにしてもよい。
このとき、合成画像そのものを顧客（あるいは、各被写体人物）に返送してもよいし、画像データを得るためのアクセス先情報のみを返送するようにしてもよい。
【００６３】
次に、本発明の第２実施形態について説明する。
本実施形態は、カメラ自体で画像処理システムを構成し、人物同定処理および画像合成処理もカメラで行ってしまおうというものである。
【００６４】
図４に、本実施形態に係る画像処理システムを構成するカメラの概略構成を示す。
図４に示すように、本実施形態のカメラ２１０は、デジタルカメラであり、被写体人物２００を撮影する画像入力部２１２、撮影した画像データを格納する画像メモリ２１４、所定の画像処理を行う画像処理部２１６の他に、被写体人物２００が所持しているＰＤＡ２０２と交信を行い、メッセージ情報を取得する通信端末２１８、入力された画像データから被写体人物の情報を取得する被写体情報取得部２２０、この被写体の情報とメッセージ情報とから人物同定を行う人物同定部２２２、入力された画像にメッセージ情報を合成する画像合成部２２６、および画像出力部２２８、さらに人物同定に用いるために被写体の音声情報を入力する音声取得部２２４等を有し、画像入力から、画像処理、画像出力までを行う一つの画像処理システムを構成している。
【００６５】
画像入力部２１２は、レンズを介してＣＣＤ等の撮像素子により通常の画像撮影を行うものである。撮影され入力された画像はデジタル画像データとして画像メモリ２１４に格納される。画像メモリ２１４に格納された画像データは、画像処理部２１６に呼び出されホワイトバランス調整やγ補正等の画像処理が施される。
一方、被写体情報取得部２２０は、画像メモリ２１４から画像データを呼び出し、被写体人物の顔画像等を抽出する。人物同定部２２２は、被写体情報取得部２２０から被写体人物の顔画像を受け取り、これと通信端末２１８から受け取ったメッセージ情報中の被写体の顔画像とをパターンマッチングすることにより被写体人物の同定を行う。またこのとき、音声取得部２２４から入力された音声データを利用して人物同定の精度を高めるようにしてもよい。
【００６６】
人物同定が行われると、その結果に基づいて、画像合成部２２６において前記画像処理後の画像中の被写体に対して適切な位置に前記メッセージ情報が合成される。合成後の画像データは画像出力部２２８より出力される。出力画像は、液晶パネル等の画像表示装置に表示されるとともに、所定の画像記録媒体に記録される。
【００６７】
なお、前記通信端末２１８は、撮影時に被写体人物２００各自が所持しているＰＤＡ２０２と交信してメッセージ情報を取得していたが、メッセージ情報の取得方法は特に限定されるものではない。例えば、メッセージ情報を一括管理しているホストコンピュータ２３０等の機器と撮影時に交信して、ここからメッセージ情報を取得するようにしてもよい。あるいは、カメラ２１０をパソコン（図示省略）と接続して通信回線を介してホストコンピュータ２３０からメッセージ情報を取得するようにしてもよい。
また、画像出力形態も、例えばカメラ２１０がプリント出力機能を有していれば、プリントとして出力するようにしてもよい。
【００６８】
以上詳細に説明したように、上記各実施形態によれば、自動的に被写体人物に関する情報を画像に合成することができ、被写体人物の情報取得や情報の整理に便利である。また、特に、例えばパーティ等における参加者間の情報交換に非常に便利である。
さらに、特に、第２実施形態によれば、カメラ側で全ての処理を行うことができるため、簡単迅速にメッセージ情報の合成された画像を得ることができ、被写体人物の情報取得が一層容易となる。
【００６９】
なお、デジタルデータとして出力する場合、画像再生時に、被写体人物をクリックすると、その隣に付属メッセージ情報が再生出力されるようにしても良い。また、動画の撮影画像に対し、メッセージ情報を合成するようにしても良い。さらに、これらの場合において、メッセージ情報として、静止画、動画、テキストあるいは音声等を用いることが可能である。
【００７０】
次に、図５〜図１１を参照して、本発明の第２の態様に係る注文システムについて説明する。
【００７１】
まず、本発明の第２の態様の第１実施形態について説明する。この第１実施形態は、例えば顧客がテレビを見ながらテレビ画面の一シーンをプリント注文する場合である。
図５は、この第１実施形態に係る注文システムの概略を示す構成図である。
図５に示す注文システムは基本的に、第１の情報機器であるテレビ３１０、第２の情報機器であるカメラ３１２、および商品発注データの送付先であるラボ３１４とから構成される。
【００７２】
テレビ３１０は、ネット通信機能を有するテレビであり、単に電波を受信して画像や音声を再生して、画面に再生画像を表示し、再生音声を発生させるだけでなく、情報発信機能を有し、例えば、顧客の注文情報を任意の送付先へ伝送することができるものである。さらに、テレビ３１０は、デジタルテレビであり、受信した画像データを一旦記録蓄積しておくための記憶装置（例えば、ハードディスク（ＨＤ））３１６を有しているものとする。この記憶装置３１６は、テレビ３１０に内蔵されていても良いし、外付けであっても良い。この時、記憶装置３１６には、デジタル画像データ（以下、単に画像データという）とともに、その画像に対応する関連情報も一緒に記録される。
【００７３】
カメラ３１２は、例えば、Bluetooth 等の無線通信技術でテレビ３１０と結ばれており、また、通常の撮影とは別の画像取得モードを有し、顧客がテレビ３１０を見ているときに、このモードでシャッタあるいは所定のキーを押すと、そのときのテレビ３１０の表示画面の表示画像に対するプリント注文情報がテレビ３１０側に送信される。なお、テレビ３１０は、普通の家庭用の屋内に設置されたものでもよいし、街頭等の屋外に設置されたものであってもよい。カメラ３１２から無線通信で注文情報をテレビ３１０側に送信することができればよい。
また、この顧客側の情報機器（第２の情報機器）は、このようなカメラに限定されるものではなく、この他にＰＤＡ（携帯情報端末）、パーソナルコンピュータ（以下、パソコンと略称する）、携帯電話あるいはリモートコントローラ（以下、リモコンと略称する）等無線通信で情報をテレビ３１０に対して発信できるものであればよい。
【００７４】
以下、本実施形態の作用を説明する。
テレビ３１０は、テレビ局からのテレビ信号を受信し、その表示画面に再生画像を表示するとともに、表示画像の画像データを記憶装置３１６に記録する。テレビ信号には、例えば、その画像（画面）またはその番組に対する解説文等の関連情報（以下、関連データともいう）も含まれている。これは、例えば、文字放送のように、電波の空き領域を利用してデータを送信するようにすればよい。
顧客は、テレビ３１０の画面の表示画像を見ながら、取得したいシーンがあった場合には、予めカメラ３１２を画像取得モードにしておいて、任意の選択タイミングでシャッタを押す。すると、カメラ３１２からテレビ３１０側に注文データが送信される。
【００７５】
注文データには、発注者識別情報（顧客ＩＤ）や注文指示情報が含まれる。注文指示情報とは、注文内容を具体的に指示する情報であり、例えば、プリントサイズ、プリントの枚数、希望する画像処理の内容、プリントの受け取り方法等を含んでいる。ここで、希望する画像処理の内容としては、例えば、本発明の第１の態様に用いられる画像処理装置で行うことができる種々の画像処理を挙げることができる。なお、具体的な画像処理としては、例えば、濃度・色味調整、階調調整、画風変更、セピア仕上げやモノクロ仕上げ等の仕上げ変更などの加工処理や、複数コマのインデックス画像作成、画像合成、配置・サイズ調整、文字入れなどの編集処理を挙げることができるので、このような画像の編集・加工処理の加工・編集情報を注文データに含めても良いことはもちろんである。あるいは、注文データに、さらに、顧客のメッセージ情報等が含まれていても良い。
【００７６】
カメラ３１２からテレビ３１０への注文データの送信は、顧客がシャッタを押す瞬間毎に行ってもよいし、顧客がシャッタを押したとき一旦時刻データ（その時のカメラの時刻情報）とセットでカメラ３１２内の記憶装置に記憶しておき、別のタイミングで複数回分を一括してテレビ３１０側へ送信するようにしてもよい。
カメラ３１２から注文データを受信したテレビ３１０は、受信した注文データと画像データ（場合によっては、画像関連データ（商品固有情報）も追加して）を商品発注データとして、ネット経由でラボ３１４に伝送する。この伝送する画像データを選ぶタイミングは、カメラ３１２のシャッタを押した時刻情報によってもよいし、テレビ３１０がカメラ３１２から注文データを受信したタイミングでもよい。
【００７７】
ラボ３１４は、例えば、図１〜図４に示すようなデジタルフォトプリンタ１０を備えている。ラボ３１４では、商品発注データを受け取ると、送られた画像データに対し、その注文データに従って、例えば、図１および図２に示す画像処理装置１４によって所定の画像処理を施し、例えば、図１および図２に示すプリンタ１６によってプリントを作成する。また、例えば、後日の再注文に備えて、所定の画像データ蓄積装置に画像データを記録し、蓄積しておいてもよい。また、顧客の要望に応じたオプション処理として、画像関連データを用いて画面（または番組）の解説文や広告または顧客のメッセージ情報等を、プリント裏面に印刷するようにしてもよい。なお、このようなプリントに加え、またはプリントとは別に例えば、図１および図２に示すドライブ装置４２によってＦＤ、ＣＤ−Ｒ、ＭＯ、ＤＶＤやＺｉｐ等の汎用の種々の記録媒体に画像データの記録を行うようにしてもよいし、この時、記録さるべき画像データの画像の解説文や広告やメッセージ等を、画像データに付随させて同時に記録しておいても良い。
【００７８】
次に、本発明の第２実施形態について説明する。
第２実施形態は、顧客が映画館で映画を見ながら映画の一シーンをプリント注文する場合である。
図６は、第２実施形態に係る注文システムの概略を示す構成図である。
図６に示す注文システムは、基本的に第１の情報機器である映画館の通信・制御施設３２０、第２の情報機器である顧客の情報端末機器（例えば、ＰＤＡ等の携帯情報端末）３３０、および商品発注データの送付先であるラボ３３２とから構成される。
【００７９】
本実施形態における映画館では、デジタル画像データを用いて映写を行っているものとする。通信・制御施設３２０は、制御装置３２４および受信装置３２６を含んでいる。受信装置３２６は、映画館の客席付近に設置され、制御装置３２４と回線によって、または無線で接続され、顧客の情報端末機器３３０からの信号（注文データ）を受信してこれを制御装置３２４に送るものである。
制御装置３２４は、スクリーン３２２に画像を映写するとともに、受信装置３２６から顧客の注文データを受け取り、これを画像データ等とともにネット回線等を通じてラボ３３２に伝送する。また、制御装置３２４には、画像とその関連データを記録する記憶装置３２８が接続されている。
顧客の情報端末機器３３０は、ＰＤＡ等の携帯情報端末には限定されず、例えば、その他、携帯電話や座席に備えつけられたリモコン等でもよい。
【００８０】
以下、本実施形態の作用を説明する。
制御装置３２４は、デジタル画像データとされている映画画像をスクリーン３２２に映写する。顧客は、スクリーン３２２を見ながら、取得したいシーンがあった場合には、手元の情報端末機器３３０から、任意または所望の選択タイミングでキーを押して、座席付近に設置されている受信装置３２６に向けて、注文データを送信する。このとき、注文データには、発注者識別情報（顧客ＩＤ）や注文指示情報が含まれることは前記第１実施形態と同様である。
【００８１】
受信装置３２６は、受信した注文データを、その都度、もしくは複数回分まとめて、制御装置３２４に送る。制御装置３２４は、記憶装置３２８から対応する画像データおよび関連データを、その都度、もしくは複数回分まとめて、呼び出し、注文データとともに、商品発注データとして、ラボ３３２へ伝送する。
ラボ３３２は、上述した第１実施形態と同様に、送られた画像データに、注文データで指示された所定の画像処理を施して、プリントを作成したり、画像データを記録媒体に記録する。なお、本形態においても、上述した第１実施形態と同様に、表示画像（画面）またはその番組に対する解説文等の関連データや顧客や映画館などのメッセージ情報を裏プリントしても良いし、記録媒体に画像データに付随記録しても良い。
【００８２】
この他、本実施形態の他の例として、映画のスクリーンの画像の代わりにポスターの画像を、例えばポスタの裏等に設置された送受信装置で顧客の情報端末機器から注文データを受信して、それをラボに伝送するようにして、ポスタの画像をプリントする、またはその画像データを記録した記録媒体を出力するようなシステムとしてもよい。
【００８３】
また、上述した第１および第２の実施形態においては、テレビや映画の１画面の表示画像を注文対象とするものであるが、本発明は、これに限定されず、１画面の表示画像の一部を注文対象としても良いし、１画面の表示画像内に複数の注文対象を選択できるようにしても良い。この場合には、１画面内の位置指定情報および注文数等を、例えば、上述のカメラ、ＰＤＡ、携帯電話、リモコン、パソコン等の情報端末機器でキー操作によりまたは手書きにより指定して、注文データに追加するようにすれば良い。
【００８４】
また、上述の各種の実施形態の第１の情報機器は、通信機能を備えるテレビや映画館の通信・制御施設やポスター等の通信（送受信）装置であるが、本発明はこれに限定されず、通信機能を備えていれば、ゲーム機やコンピュータやその他のディスプレイ装置であっても良い。
また、上述した各実施形態において、複数の顧客によって複数の注文データがテレビ等の第１の情報機器に送信される時、第１の情報機器側で、複数人数分の注文データを顧客毎または画像（商品）毎に分類し、顧客毎または画像（商品）毎に商品発注データを作成して、ラボに伝送するようにしても良い。すなわち、個人別に複数画像（商品）分を分類しても良いし、画像（商品）別に複数人数分を分類しても良い。
【００８５】
また、上述した各実施形態において、カメラやＰＤＡなどの顧客側の情報機器によって所望の選択タイミングで一度指定されたテレビや映画の表示画像に類似するシーンを、テレビなどの第１の情報機器の表示画像、例えば、指定時刻以降の所定時間内の表示画像または記憶装置内の蓄積画像中から自動検索して、顧客に一括表示しても良いし、一括伝送しても良い。
また、プリントの裏面に印刷する、または記録媒体に画像データに付随させて記録する、表示画像（画面）またはその番組に対する解説文等の関連データや映画館などのメッセージ情報は、文字等の線画像などによって表現されるが、本発明はこれに限定されず、静止画または動画等の画像や、音声、テキストあるいはプログラム等の少なくとも１つであっても良い。
【００８６】
次に、本発明の第３実施形態について説明する。
上述した第１および第２実施形態は、テレビや映画館等の側から画像データをラボに送っていたのであるが、本第３実施形態は、顧客の情報機器から画像データを直接ラボにおくるようにしたものである。
図７は、本第３実施形態に係る注文システムの概略を示す構成図である。
図７に示すように、本システムも、図５に示す第１実施形態のシステム構成と基本的に同じであり、第１の情報機器であるテレビ３４０、第２の情報機器であるカメラ３４２、および商品発注データの送付先であるラボ３４４とから構成される。
【００８７】
テレビ３４０は、ネット通信機能を有するデジタルテレビであり、受信した画像データを一旦記録蓄積しておくための記憶装置３４６を有している。また、カメラ３４２は、無線通信でテレビ３４０と結ばれており、また、通常の撮影とは別の画像取得モードを有している。なお、第１実施形態と同様、この顧客側の情報機器は、カメラ３４２に限定はされず、ＰＤＡ、パソコン、携帯電話、あるいはリモコン等の無線通信で情報を発信できるものであればよい。
【００８８】
顧客は、テレビ３４０を見ながら、取得したいシーンがあった場合には、カメラ３４２を画像取得モードにして任意の選択タイミングでシャッタを押すと、その時点での表示画像の転送を要求する画像データ要求信号がカメラ３４２からテレビ３４０に送られる。この信号には、プリントサイズ等の注文信号を含めるようにしてもよい。
【００８９】
画像要求信号を受けたテレビ３４０は、当該画像データを無線でカメラ３４２に伝送する。このとき、画像要求信号に注文信号も含まれている場合には、そのプリントサイズに合わせて情報量を制御して、例えば、画像データを圧縮して、返送するようにするとよい。なお、テレビ放送されている任意の画像をプリントにするため、その用い方によっては、著作権上の問題もあるため、著作権保護のため、意図的に画像品質を、そのオリジナル画像の画質より劣る画質にしてもよい。なお、特に、著作権上の問題がある場合には、後述するラボ３４４でプリントする際に、著作権に基く課金を自動的に行うようにするのが好ましい。
【００９０】
画像データを受け取ったカメラ３４２側では、カメラ３４２で普通に画像を撮影した場合と同様にプリント注文をすればよい。カメラ３４２から直接ネット通信を経由して、画像データおよびその関連情報等をラボ３４４に伝送して注文してもよいし、データを記録媒体に出力して、記録媒体をラボ３４４に持ち込んで注文してもよい。ラボ３４４では、上記各実施形態と同様にして、画像データに対し、関連情報や注文情報により所定の画像処理を施して、プリントを作成したり、記録媒体を出力する。
【００９１】
なお、本実施形態において、テレビ３４０側から顧客の情報機器であるカメラ３４２やＰＤＡ等に画像データを転送する場合に、表示用画像（低解像度）の画像データと、プリント用画像（高解像度）の暗号化画像データとを含むデータ構成とすることにより、暗号化画像データを復号化できる鍵を持った所定の契約ラボしか、復号化画像データを取得できず、プリントや記録媒体出力などができないようにしておくのが好ましい。こうすることにより、第３者による画像の流用を防止することができる。
【００９２】
次に、本発明の第４実施形態について説明する。
本第４実施形態は、実際にカメラで画像を撮影し、これに所定の情報を付加したプリントを注文する場合である。
図８に、本実施形態のシステムの概略構成を示す。
図８に示すように、本システムは基本的に、第１の情報機器としての撮影者である顧客のカメラ３５０と、第２の情報機器であるその被写体人物が持っている情報端末機器３５２およびラボ３５４とから成る。
【００９３】
カメラ３５０は、やはり通信機能を有するデジタルカメラである。被写体人物が持っている情報端末機器３５２は、特に限定はされず、ＰＤＡ（携帯情報端末）や携帯電話等のカメラ３５０と通信を行い情報をやりとりする機能を有するものであれば、どのようなものでも良い。また、カメラ３５０は、情報端末機器３５２と通信するとともに、ラボ３５４ともネット通信を介してデータの送受信が可能であるものとする。
【００９４】
本実施形態は、撮影者の有するカメラ３５０と、被写体人物３５１の有する情報端末機器３５２との間で情報の授受を行い、撮影画像と被写体人物３５１が送信するメッセージ情報を合成したプリントを作成するものである。
この情報の授受は、撮影者が被写体人物３５１を撮影する際に、カメラ３５０から被写体人物３５１の情報端末機器３５２に、データ依頼信号を送信し、これに対し被写体人物３５１が情報端末機器３５２からメッセージ情報を返送するようにしてもよいし、被写体人物側が情報端末機器３５２からカメラ３５０に対し次に撮影する画像に入れるべきメッセージを発信し、カメラ３５０がそれを受信するようにしてもよい。メッセージ情報としては、静止画または動画等の画像や音声、テキストあるいはプログラム等の各種のデータが可能である。
【００９５】
撮影者は、カメラ３５０で被写体人物３５１を撮影して得られる実写画像を、被写体人物３５１の情報端末機器３５２から送られたメッセージとともにプリント注文データとしてカメラ３５０からネット通信を経由してラボ３５４に伝送する。ラボ３５４は、カメラ３５０から送られた実写画像とメッセージ情報を合成して実写プリント３５６を作成する。
【００９６】
次に、本発明の第５実施形態について説明する。
本第５実施形態は、前記第４実施形態と同じくカメラで実写するが、画像データおよび注文データ等をカメラからではなく被写体側の情報機器からラボに伝送するようにしたものである。
図９に、本実施形態の注文システムの概略構成を示す。
図９に示すように、本システムは基本的に、第１の情報機器としての撮影者である顧客のカメラ３６０と、第２の情報機器である被写体側の情報端末機器３６２およびラボ３６４とから成る。
【００９７】
カメラ３６０は、前記第４実施形態のカメラ３５０と同様通信機能を有するデジタルカメラである。また、情報端末機器３６２は、例えば、被写体が公園の花壇の花３６１の場合には、花３６１の下の地面に埋められたデータ送受信装置等である。このデータ送受信装置は、カメラから信号を受信すると、例えば公園管理施設等に設置された制御装置３６３ａを通じてラボ３６４に信号を伝送するものである。
【００９８】
撮影者である顧客がカメラ３６０で花３６１を撮影し、撮影画像データと注文データをカメラ３６０から情報端末機器（データ送受信装置）３６２に伝送すると、情報端末機器３６２は、制御装置３６３ａを通じて画像データおよび注文データをラボ３６４に伝送する。このとき、制御装置３６３ａは、被写体の関連情報（この場合、被写体である花の名前等）を記憶装置３６３ｂに記憶しておき、これを注文データに追加して伝送するようにするとよい。
これらのデータの伝送を受けたラボ３６４は、実写画像である花の画像に、その関連情報、例えば、その花の名前や由来等を合成したプリント３６６を作成する。
【００９９】
以上、説明した各実施形態では、いずれもラボに対してプリントを注文するものであったが、プリントに対して関連情報（あるいはメッセージ情報）を合成する場合には、図８や図９に示すように、プリント表面に合成してもよいし、裏面にプリント（印刷）するようにしてもよい。
また、プリントとして出力するのみでなく、画像データを関連情報とともに、コンピュータで読み取り可能な記録媒体（フレキシブルディスクＦＤやＣＤ−ＲやＭＯやＺｉｐ等）に出力するようにしてもよい。このとき、静止画や動画のような画像データの他に、音声データも一緒に記録しておき、コンピュータで再生し実行するようにしてもよい。このとき顧客は、例えば、注文データでプリントではなく、ＣＤ−Ｒ等に出力してほしい旨を伝えるようにすればよい。
【０１００】
これに対し以下説明する実施形態は、顧客がテレビ等の広告画面を見ながら、プリントに限らず一般の商品を注文する場合である。
次に、本発明の第６実施形態について説明する。
図１０に、本実施形態における注文システムの概略構成を示す。
図１０に示すように、本システムは、基本的に、第１の情報機器であるテレビ３７０、第２の情報機器である顧客の例えばＰＤＡ等の情報端末機器３７２および商品発注データの送付先である商品注文センタ３７４とから構成される。
【０１０１】
テレビ３７０は、前述した実施形態と同様、ネット通信機能を有するテレビであり、受信したデータあるいは広告している商品の関連情報等を記録蓄積しておくための記憶装置３７６を有している。
テレビ３７０には、広告商品に関連するデータを含んだテレビ信号が送信されており、テレビ３７０は、これを受けると画面に商品広告を表示するとともに、関連情報を一旦記憶装置３７６に記憶する。
【０１０２】
顧客は、テレビ３７０の広告画面を見ながら、欲しい商品があった場合には、手元の、例えばＰＤＡ等の情報端末機器３７２のキー等を押して、テレビ３７０に対し顧客ＩＤ（顧客識別情報）および注文情報を伝送する。注文情報には、商品番号、個数、色、サイズ等の仕様等の商品固有の情報が付加される。テレビ３７０は、顧客ＩＤおよび注文情報を受け取ると、該当する商品の注文情報と対応する関連情報（商品データ等）を商品発注データとして、ネット通信等を経由して、商品注文センタ３７４に伝送する。商品注文センタ３７４は、商品発注データを受け取ると、このデータにより、商品を顧客の自宅３７８等へ宅配便等により配送する。このとき、商品注文センタでは、注文の確認のため、別途顧客が指定した先へ、注文入力用データまたは発注確認データを返送するようにしてもよい。
【０１０３】
次に、本発明の第７実施形態について説明する。
本実施形態の注文システムの概略構成を図１１に示す。
図１１に示すように、本実施形態のシステムも図１０に示す前記第６実施形態のシステムの構成と同様であり、テレビ３８０、顧客の情報端末機器３８２および商品注文センタ３８４から構成される。また、テレビ３８０は、記憶装置３８６を有しており、テレビ３８０には、広告商品に関連するデータを含んだテレビ信号が送信され、テレビ３８０は、これを受信すると画面に商品広告を表示するとともに、関連情報を一旦記憶装置３８６に記憶する。
【０１０４】
顧客は、テレビ３８０を見ていて、欲しい商品があった場合には、任意の選択タイミングで、手元の情報端末機器３８２からテレビ３８０に対して、データ要求信号を伝送する。テレビ３８０は、データ要求信号を受け取ると、顧客の情報端末機器３８２に商品関連情報を返送する。顧客は、受け取った商品関連情報を情報端末機器３８２のモニタに再生表示する。顧客は、この表示を見て、商品番号、個数、色サイズ等の仕様等の注文入力用データを編集して商品発注データを作成する。
そして、顧客ＩＤや商品の受け取り方法等のデータも付属させて、商品発注データを情報端末機器３８２からテレビ３８０へ伝送する。
【０１０５】
テレビ３８０は、商品発注データを受け取ると、ネット通信経由で商品発注データを商品注文センタ３８４に伝送する。この注文発注データの伝送は、商品一括で行ってもよいし、コマーシャル毎に異なってもよい。商品注文センタ３８４は、商品発注データに従って各顧客に対し、注文の商品を発送する。
この商品の受け取りは、顧客の自宅に宅配便等で配達してもよいし、顧客の最寄りの取り次ぎ店（例えばコンビニエンスストア等）で顧客が受け取るようにしてもよい。
【０１０６】
また、商品の注文も、このようにテレビ経由でなく、顧客が別途注文するようにしてもよい。例えば、顧客が写真注文のついでにラボ経由で注文できるようなシステムとしてもよい。
また、顧客の情報端末機器でテレビから、その番組中の画面を取得した場合には、その商品のみならずその商品の関連グッズの広告も見ることができるようになっていると好ましい。さらに、顧客の情報端末機器でテレビ番組に対し、特定の商品項目や自動取得（取り込み）条件などを予約しておくと、その項目の広告が放送された時点で、自動的に顧客の情報端末機器に表示画像や商品情報やその関連情報が取り込まれるようになっているとよい。
【０１０７】
すなわち、画像や商品の自動取得モードを設定することができるようになっているのが好ましい。例えば、放送データに商品分野固有のＩＤを付加しておき、このＩＤを用いて商品分野毎に自動取り込みモードを設定し、例えば、自動車の広告がテレビに表示された時には、自動車の広告が自動的に入手できるようにしておくのがこのましい。また、ゲームセンタやパチンコ店や自宅のゲーム機に対して、画像自動取り込み条件を設定し、ＰＤＡなどの顧客の情報機器からゲーム機に設定情報を伝送しておき、例えば、ハイスコア得点時、得点が所定閾値以上の時点、所定場面のクリア時等に画像を自動的に取得できるようにしておくのが良い。
【０１０８】
なお、上述した第６および第７実施形態では、テレビの広告画面を見て商品の注文をする場合について説明したが、このようにテレビに限定されるものではなく、テレビ以外に、パソコンの画面や、ゲームの画面や、ポスタ（家庭内外問わず、また、ポスタ裏面等に送受信装置が設置されているとして）等の広告画面（画像）を顧客が見て商品の注文をする場合に適用することも可能である。また、顧客の情報端末機器も、例えばＰＤＡ等の携帯情報端末に限らず、カメラ、パソコン、携帯電話、リモコン等の情報通信機能を有する機器が使用可能である。
【０１０９】
次に、本発明の第８実施形態について説明する。
上述した第１および第３実施形態は、テレビ等の第１の情報機器側が受信した画像データを、直接、または顧客の情報端末機器を介してラボに送るものであるが、本実施形態は、テレビ等の受信画像データと、その元となる放送局のオリジナル画像とを必要に応じて使い分けるものである。
図１２は、本第８実施形態に係る注文システムの概略を示す構成図である。
図１２に示すように、この注文システムは、第１の情報機器であるテレビ３９０、第２の情報機器である顧客の携帯情報端末（以下、ＰＤＡとする）３９２、商品発注データの送付先であるラボ３９４およびテレビ３９０が受信する画像を発信する放送局３９６とから構成される。
【０１１０】
テレビ３９０は、通信機能を有するデジタルテレビであり、受信した画像データを、一旦記録蓄積しておくための記憶装置（ＨＤＤ）３９１を有している。また、ＰＤＡ３９２は、無線通信でテレビ３９０と結ばれており、また、通常の撮影とは別の画像取得モードを有している。なお、第１実施形態と同様、この顧客側の情報機器は、ＰＤＡ３９２等の携帯情報端末に限定はされず、パソコン（ＰＣ）、携帯電話、カメラあるいはリモコン等の無線通信で情報を発信できる情報端末機器であればよい。
顧客は、テレビ３９０を見ながら、任意もしくは所望の選択タイミングで、取得したいシーンがあった場合には、ＰＤＡ３９２のキー操作または手書き指定により、表示画像の転送を要求する画像データ要求信号がＰＤＡ３９２からテレビ３９０に送られる。この信号には、プリントサイズ等の注文指示信号を含めるようにしてもよい。
【０１１１】
画像データ要求信号を受けたテレビ３９０は、当該表示画像の画像データを無線でＰＤＡ３９２に伝送する。すなわち、ＰＤＡ３９２は、一旦、低解像度のモニタ表示用画像を受信する。このとき、ＰＤＡ３９２のモニタの表示画像サイズに合わせて、あるいは、画像データ要求信号に注文指示信号も含まれている場合には、そのプリントサイズに合わせて、データ（情報）量を制御して、例えば、画像データを圧縮し、もしくは間引いて、低解像度の縮小画像を伝送するようにするのが好ましい。また、画像データには当該表示画像のＩＤ（識別情報）が添付されているのが好ましい。
【０１１２】
画像データを受け取ったＰＤＡ３９２側では、ＰＤＡ３９２のモニタに画像、例えば縮小画像を表示し、顧客の確認後、画像ＩＤもしくは縮小画像の画像データと注文データとを、さらには関連情報も含めてテレビ３９０に返送する。
なお、顧客は、ＰＤＡ３９２のモニタ表示画像を見ながら、例えば、濃度・色味調整、階調調整、画風変更、セピア仕上げやモノクロ仕上げ等の仕上げ変更などの加工処理、および、複数コマのインデックス画像作成、画像合成、配置・サイズ調整、文字入れなどの編集処理の中から所望の画像処理を行う。この他、上述の第１の態様の画像処理装置で行うことのできる処理を行っても良いし、市販のソフトによる加工処理や編集処理等の画像処理を行っても良い。
この場合には、顧客による加工処理の情報（加工情報）や編集処理の情報（編集情報）などの画像処理の情報、すなわち、顧客がどのコマにどの加工処理や編集処理などの画像処理を行ったかの画像処理情報をも注文データに含ませておくのが好ましい。
【０１１３】
画像ＩＤもしくは縮小画像の画像データと注文データとを、さらには関連情報を受け取ったテレビ３９０側では、画像ＩＤもしくは縮小画像の画像データを用いて、記憶装置３９１から該当する表示画像の画像データを検索する。この検索された画像の画像データと、受け取った注文データおよび関連情報とを商品発注データとして、ラボ３９４に伝送し、プリント注文および記録媒体への記録注文を行う、すなわち、プリントまたは記録済記録媒体を発注する。なお、注文データには画像処理情報が含まれていても良い。
ラボ３９４側では、上記各実施形態と同様にして、画像データに対し、注文データや関連情報により、所定の画像処理を施して、プリントを作成したり、記録媒体を出力する。なお、注文データに画像処理情報が含まれている場合には、画像データを用いて、これとセットで伝送された画像処理情報（加工情報、編集情報）に従って、加工処理や編集処理を再現することができる。
【０１１４】
ところで、注文データの注文プリントサイズが大きい場合には、画像データの解像度が不足して高画質画像のプリントが得られない場合が出てくるので、高解像度データが必要となる場合が多い。このため、このような場合には、本実施形態においては、テレビ３９０側では、ＰＤＡ３９２側から受け取った画像ＩＤと注文データ（画像処理情報を含んでも良い）と、さらには関連情報を、商品発注データとして、ラボ３９４に伝送し、プリント注文および記録媒体への記録注文を行う。
ラボ３９４側では、受信した画像ＩＤを放送局３９６に伝送する。放送局３９６では、伝送された画像ＩＤを用いて、データベース３９７を検索して、放送に用いた画像のオリジナル画像の高解像度の画像データを読み出す。こうして検索されたオリジナル画像の画像データを、放送局３９６側からラボ３９４側へ画像ＩＤとともに返送する。
【０１１５】
この後、ラボ３９４側では、放送局３９６から返送されたオリジナル画像の画像データを用いて、ＰＤＡ３９２から受け取った、同じ画像ＩＤの注文データや関連情報を用いて、上記各実施形態と同様にして、所定の画像処理を施して、例えば、注文データに画像処理情報が含まれている場合には、それに従って、加工処理や編集処理を再現して、プリントを作成したり、記録媒体を出力する。
なお、ラボ３９４側に放送局３９６から放送された画像のオリジナルを取り寄せる手法は、特に制限的ではなく、公知の方法を用いれば良い。例えば、本発明者の出願に係る特開平１０−１７１０２７号公報に開示された方法などを用いることができる。
【０１１６】
こうして、注文プリントサイズが大きい場合には、放送局３９６のオリジナル画像を用い、その他の場合には、テレビ３９０の受信画像を用いるという注文プリントサイズに応じたオリジナル画像と受信画像との使い分けを行なうことにより、高画質画像を再現したプリントを出力することができる。ところで、テレビ受信画像と、オリジナル画像との切り換え（使い分け）の判断は、ラボ３９４側で行なっても良い。
なお、オリジナル画像と受信画像との使い分けは、注文プリントサイズによるものに限定されず、どのように使い分けても良いが、例えば、放送局３９６のデータベース３９７にオリジナル画像が存在する場合には、オリジナル画像を選択し、オリジナル画像が存在しない場合には、テレビ３９０の受信画像を選択するようにしても良い。
【０１１７】
また、本実施形態によれば、テレビ放送されている任意の画像をプリントにする場合であっても、ＰＤＡ３９２に伝送される画像データは低解像度であるが、高解像度、高画質画像のプリントは、著作権に基く課金を自動的に行うようにすることができるラボ３９４においてオリジナル画像で行なうことができるので、著作権を適切に保護することが可能となる。
また、放送局側３９６のデータベース３９７に、放送データ（発信データ）に含まれない画像付属データ（静止画、動画、音声、テキスト、プログラム等の各種のデータ）を蓄積しておき、顧客の画像注文に対し、これらの画像付属データも追加して、プリントへの合成や記録媒体への記録を行なうようにしても良い。また、この場合、画像付属データに応じて課金することもできる。
【０１１８】
次に、本発明の第９実施形態について説明する。
上述した第３、第７および第８実施形態は、テレビ等の第１の情報機器の指定表示画像の画像データを、当該表示画像を指定した、通信機能を持つカメラやＰＤＡ、携帯端末機器等の第２（顧客側）の情報機器に返送するものであるが、本実施形態は、当該表示画像を指定した顧客側の情報機器ではなく、顧客指定の連絡先（の情報機器）に伝送するものである。
【０１１９】
図１３は、本第９実施形態に係る注文システムの概略を示す構成図である。
図１３に示すように、この注文システムは、第１の情報機器であるテレビ４００と、第２の情報機器である顧客Ａの携帯情報端末（以下、ＰＤＡとする）４０２と、商品発注データの送付先であるラボ４０４と商品注文センタ４０６と、テレビ４００、ラボ４０４および商品注文センタ４０６がそれぞれ接続されるインターネット４０８と、インターネット４０８に接続される顧客Ａの自宅のパソコン（ＰＣ）４１０、顧客Ｂの携帯電話４２０、……とから構成される。
これらの構成要素は、上述した各実施形態に開示されたものを用いることができるので、詳細な説明は省略する。
【０１２０】
テレビ４００は、テレビ局からの放送データ（テレビ信号）を受信し、その表示画面に再生画像を表示するとともに、表示画像の画像データを記憶装置４０１に記録する。
顧客は、テレビ４００の画面の表示画像を見ながら、取得したいシーンがあった場合には、予めＰＤＡ４０２を画像取得モードにしておいて、任意または所望の選択タイミングでシーン（画像コマ）を指定する。指定後、ＰＤＡ４０２からテレビ４００側に転送依頼を含む画像要求データが送信される。ここで、画像要求データには、発注者識別情報（顧客ＩＤ）、シーン（画像コマ）指定情報、画像データの転送依頼先（連絡先）情報等が含まれるが、これに注文指示情報や顧客Ａのメッセージ情報等を含めても良い。
【０１２１】
ここで、顧客ＰＤＡ４０２からテレビ４００への画像要求データに画像データの転送依頼先（連絡先）情報を含めることにより、顧客ＰＤＡ４０２のメモリ不足時や高画質データ要望時などに、インターネット４０８を介して自宅ＰＣへ転送してもらうことができる。この他、外出先でテレビ４００を鑑賞中に取得したい画像や商品があった時、実際に注文する前に、帰宅してじっくり検討したい場合や、知人にも教えたい場合にも有効であり、ＰＤＡ４０２でシーンのコマ指定を行なう他、画像データの転送先の情報をテレビ４００側に発信することができる。
このような時、ＰＤＡ４０２側で、シーン（コマ）指定のタイミング情報を一旦蓄積しておき、別のタイミングで表示シーン画像の転送先依頼情報を発信しても良いし、コマ指定時毎に、コマ指定タイミング情報と転送先依頼情報とをセットにして発信しても良い。また、指定コマ画像毎に、または複数コマ画像を一括して、転送先を設定してもよい。
【０１２２】
ＰＤＡ４０２から画像要求データを受信したテレビ４００は、受信した画像要求データのシーン（画像コマ）指定情報に基いて記憶装置４０１から当該指定シーン（コマ）画像の画像データを読み出し、この画像データに、画像関連（付属）データ（商品固有情報）や注文用データを付加し、さらに、必要に応じて、注文指示情報や顧客Ａのメッセージ情報等も追加して、ネット経由で、受信した画像要求データ中の転送依頼先（連絡先）情報によって指定された連絡先に伝送する。
指定連絡先としては、どのような情報機器でも良いが、例えば、自宅のパソコン４１０、知人の携帯電話４１２やＰＤＡやパソコン等の情報機器等を挙げることができる。なお、本実施形態においても、自分のＰＤＡ４０２や携帯電話などを伝送先としても良いことはもちろんである。
【０１２３】
また、テレビ４００から指定連絡先に転送する画像データは、テレビ４００の表示画像そのものであっても良いし、その縮小画像であっても良い。
さらに、テレビ４００から指定連絡先に転送する画像データの替わりに、テレビ４００の表示画像の参照先データを用いても良い。この場合には、参照先データを受信した指定連絡先側で、参照先にアクセスして、画像およびその付属データを入手することができる。
【０１２４】
この後、画像や商品を発注したい場合には、自宅パソコン４１０や知人の携帯電話４１２などの指定連絡先から、画像データまたは商品データと、その関連情報と、注文データ（顧客ＩＤ、注文指示情報、顧客Ａのメッセージ情報等を含む）とをセットにして、商品発注データとして、ラボ４０４または商品注文センタ４０６に伝送して、発注する。
ラボ４０４は、商品発注データを受け取ると、送られた画像データに対し、その注文データに従って所定の画像処理を施し、プリントまたは画像データ記録済記録媒体を作製する。一方、商品注文センタ４０６は、商品発注データに従って各顧客に対し、注文の商品を発送する。
【０１２５】
また、以上説明した各実施形態において、ラボあるいは商品注文センタで、顧客から受けた注文情報（商品発注データ）を一旦蓄積しておき、後で、各顧客にその注文の確認用の情報を伝送して、注文の確認をするようにすることで事故やトラブルを防止することができる。
このため、各注文事項ごとに、その注文がどのような経路を通じてなされたものかを示す注文伝達経路情報を商品発注データに付加した確認用情報を、顧客ＩＤに従って各顧客の連絡先に伝送するようにするとよい。
【０１２６】
以上詳細に説明したように、各実施形態によれば、テレビ等の画面や映画のスクリーンやを見ながらその表示画像を、またはカメラによる実写画像を、任意または所望のタイミングで、簡単に、そのシーンをプリント、そのシーンの画像データが記録された記録媒体を注文することができ、また、テレビ等の広告画面を見ながら、商品の注文を簡単にすることができる。
【０１２７】
なお、上述した各実施形態は、注文対象をテレビ等の表示画像やカメラによる実写画像のプリントや、その画像データが記録された記録媒体、またはテレビ等の広告画面の広告商品とするものであるが、本発明はこれに限定されず、これらの注文対象に加え、またはこれらの注文対象とは別に、動画や音声やテキストやプログラム等の各種データの少なくとも１つを注文対象とするものであっても良い。
例えば、テレビや映画やディスプレイの表示画面の指定時刻の前後の所定時間（例えばα秒）内の動画、すなわち、指定時刻の指定表示画像の前後の複数枚の表示画像からなる動画やコマーシャル１本分の全動画の画像データを取得するようにしても良いし、ゲーム機の実行画面、例えば、ある場面の１区切り等を再現するプログラム自体を取得しても良い。
なお、本発明においては、デジタルテレビの表示画面に表示される画像は、通常のテレビ放送を、チューナを介して受信した映像（画像）の他、インターネット等の通信網を介して配信された配信映像（画像）も含むものとする。また、この表示画像を表示する画像表示機器としては、デジタルテレビに限定されず、パーソナルコンピュータ（ＰＣ）、特に、映像表示機能付きのパーソナルコンピュータであっても良い。
【０１２８】
以上、本発明の画像処理システムおよび注文システムについて詳細に説明したが、本発明は、以上の例には限定されず、本発明の要旨を逸脱しない範囲において、各種の改良や変更を行ってもよいのはもちろんである。
【０１２９】
【発明の効果】
以上説明した通り、本発明の第１の態様によれば、被写体人物が複数存在するような場合でも、自動的に被写体人物に関する情報を画像に合成することができ、被写体人物の情報取得や情報の整理に便利である。また特に、例えばパーティ等における参加者間の情報交換に非常に有効に利用可能である。
【０１３０】
以上説明した通り、本発明の第２の態様によれば、テレビ等の画面を見ながら任意または所望のタイミングで、または予約しておき、簡単に、そのシーンのプリントを注文したり、テレビ等の広告画面を見ながら、もしくは予約しておき、商品の注文を簡単にすることができる。
【図面の簡単な説明】
【図１】  本発明の第１の態様の第１実施形態に係る画像処理システムを構成するデジタルフォトプリンタの概略を示すブロック図である。
【図２】  本発明の第１の態様の第１実施形態に係る画像処理装置の概略構成を示すブロック図である。
【図３】  本発明の第１の態様の第１実施形態の作用を示す概念図である。
【図４】  本発明の第１の態様の第２実施形態に係る画像処理システムを構成するカメラの概略構成を示すブロック図である。
【図５】  本発明の第２の態様の第１実施形態に係る注文システムの概略を示す構成図である。
【図６】  本発明の第２の態様の第２実施形態に係る注文システムの概略を示す構成図である。
【図７】  本発明の第２の態様の第３実施形態に係る注文システムの概略を示す構成図である。
【図８】  本発明の第２の態様の第４実施形態に係る注文システムの概略を示す構成図である。
【図９】  本発明の第２の態様の第５実施形態に係る注文システムの概略を示す構成図である。
【図１０】  本発明の第２の態様の第６実施形態に係る注文システムの概略を示す構成図である。
【図１１】  本発明の第２の態様の第７実施形態に係る注文システムの概略を示す構成図である。
【図１２】  本発明の第２の態様の第８実施形態に係る注文システムの概略を示す構成図である。
【図１３】  本発明の第２の態様の第９実施形態に係る注文システムの概略を示す構成図である。
【符号の説明】
１０  プリントシステム
１２  スキャナ
１４  画像処理装置
１６  プリンタ
１８  操作系
２０  ディスプレイ
２２  光源
２４  可変絞り
２８  拡散ボックス
３０  キャリア
３４  イメージセンサ
３６  アンプ
３８  Ａ／Ｄ変換器
４２  ドライブ装置
４４  スロット
４６  データ処理部
４８  プレスキャンメモリ
５０  ファインスキャンメモリ
５２  プレスキャン画像処理部
５４  ファインスキャン画像処理部
５６  条件設定部
５８  プレスキャン処理部
６０，６６ａ，６６ｂ，６６ｃ  データ変換部
６２  ファインスキャン処理部
６４  画像合成手段
６８  被写体情報取得手段
７０  人物同定手段
１００，２００  被写体人物
１０２，２０２  ＰＤＡ（携帯情報端末）
１１０，２１０  カメラ
１１２，２１８  通信端末
１２０，２３０  ホストコンピュータ
１３０  ラボ
２１２  画像入力部
２１４  画像メモリ
２１６  画像処理部
２２０  被写体情報取得部
２２２  人物同定部
２２４  音声取得部
２２６  画像合成部
２２８  画像出力部
３１０，３４０，３８０，３９０，４００  テレビ
３１２，３４２，３５０，３６０  カメラ
３１４，３３２，３４４，３５４，３６４，３９４，４０４  ラボ
３１６，３２８，３４６，３６３ｂ，３８６，３９１，４０１  記憶装置
３２０  通信・制御施設
３２２  スクリーン
３２４，３６３ａ  制御装置
３２６  受信装置
３３０，３５２，３６２，３８２  情報端末機器
３５１  被写体人物
３５６  実写プリント
３６１  花
３６６  プリント
３８４，４０６  商品注文センタ
３９２，４０２  ＰＤＡ
３９６  放送局
３９７  データベース
４０８  インターネット
４１０  パソコン
４１２  携帯電話
【図１】
0003913520.tif 000002
【図２】
0003913520.tif 000003
【図３】
0003913520.tif 000004
【図４】
0003913520.tif 000005
【図５】
0003913520.tif 000006
【図６】
0003913520.tif 000007
【図７】
0003913520.tif 000008
【図８】
0003913520.tif 000009
【図９】
0003913520.tif 000010
【図１０】
0003913520.tif 000011
【図１１】
0003913520.tif 000012
【図１２】
0003913520.tif 000013
【図１３】
0003913520.tif 000014